(57)【要約】      （修正有）【課題】撮像装置内部に設けられた光束通過範囲を可変する不要光低減部の破損を回避する撮像装置を提供すること。【解決手段】レンズ装置を着脱可能なカメラ本体であって、レンズ装置からの光束の一部を覆う閉位置と、開く方向の移動可能端との間で移動可能な遮光部材である前羽根１０１および後羽根１０２と、駆動アーム１０５を介して遮光部材を駆動するモータ１０３とを備え、レンズ装置の取り外しに連動して、遮光部材は移動可能端まで退避する。【選択図】図４
2018106024.tif 000002
【特許請求の範囲】
【請求項１】
レンズ装置を着脱可能な撮像装置であって、
前記レンズ装置からの光束の一部を覆う閉位置と、開く方向の移動可能端との間で移動可能な遮光部材と、
前記遮光部材の駆動源と、
前記駆動源の駆動力を伝達することにより、前記遮光部材を駆動する駆動部材と、を備え、
前記レンズ装置の取り外しに連動して、前記遮光部材は前記移動可能端まで退避することを特徴とする撮像装置。
【請求項２】
前記駆動部材を、前記遮光部材が開く方向に付勢する第１の付勢部材と、
前記駆動源と前記駆動部材を連結可能な連結部材と、
前記連結部材を、前記駆動源と前記駆動部材との連結を解除する方向に付勢する第２の付勢部材と、をさらに備え、
前記レンズ装置が取り外されると、前記第２の付勢部材により前記連結部材による連結が解除され、第１の付勢部材により前記駆動部材が前記遮光部材を前記移動可能端まで退避させる位置にまで前記駆動部材を駆動することを特徴とする請求項１に記載の撮像装置。
【請求項３】
前記遮光部材は、複数の羽根部材を有することを特徴とする請求項１または２に記載の撮像装置。
【請求項４】
被写体を撮像する撮像素子を備え、
前記レンズ装置と撮像素子の間に、前記レンズ装置からの光束が通過する光学部材が配置され、前記遮光部材は、前記光学部材よりレンズ装置側に設置されることを特徴とする請求項１乃至３のいずれか１項に記載の撮像装置。
【請求項５】
前記遮光部材を保持する保持部材をさらに備え、
前記遮光部材は、前記レンズ装置の取り外しに連動して、前記保持部材の開口より外側に退避することを特徴とする請求項１乃至４のいずれか１項に記載の撮像装置。
【請求項６】
前記レンズ装置の情報に基づいて、前記遮光部材の移動を制御する制御部をさらに備え、
前記制御部は、前記レンズ装置の装着時に、前記レンズ装置の情報に基づいて前記遮光部材の位置を、有効光束を遮光しない範囲で前記光束を最小にする位置に移動する制御を行うことを特徴とする請求項１乃至５のいずれか１項に記載の撮像装置。
【請求項７】
前記レンズ装置の情報は、レンズ装置の識別情報、焦点距離、ズーム位置、絞り情報のいずれかを含むことを特徴とする請求項６に記載の撮像装置。
【請求項８】
請求項６または７に記載の撮像装置に、レンズ装置が通信可能に装着される撮像システムであって、
前記制御部は、前記レンズ装置から受信した情報に基づいて、前記遮光部材の移動を制御することを特徴とする撮像システム。
【発明の詳細な説明】
【技術分野】
【０００１】
本発明は、交換レンズごとに異なる有効光束に合わせて可動する不要光低減部を備えた撮像装置に関する。
【背景技術】
【０００２】
従来、レンズ交換式の撮像装置の内部では、交換レンズ最後端のレンズから撮像素子に入射する有効光束を遮らない、且つ、有効光束より外側の不要光を遮光するように開口領域を形成していた。開口領域は、取り付け可能な交換レンズの中で有効光束の一番大きな交換レンズに合わせて決められている。そのため、有効光束の小さな交換レンズが撮像装置に取り付けられた場合には開口領域が有効光束に対して大きく、有効光束外からの不要光が入りやすくなり、撮影画面にフレアが発生しやすくなってしまう。
特許文献１は、変倍光学系を有する撮像装置において、変倍光学系の後群レンズの射出面側に、変倍光学系の倍率に応じて開口形状を変化させる不要光低減部を備える構成を開示している。また、特許文献２は、レンズに、撮像装置の画像出力領域に合わせて開口領域を制御する不要光低減部を配置する構成を開示している。
【先行技術文献】
【特許文献】
【０００３】
【特許文献１】特開２００４−１１７４０２号公報
【特許文献２】特開２０１０−１７６０７１号公報
【発明の概要】
【発明が解決しようとする課題】
【０００４】
しかしながら、特許文献１はレンズと撮像装置が一体で成り立つ構成となっており、レンズ交換式の撮像装置のように様々なレンズの組合せが存在する構成が考慮されたものではない。そのため、撮像装置に装着するレンズによっては遮光できない不要光が発生してしまう。また、特許文献１では、不要光低減部の配置が不明確であり、効果的に不要光を遮光することができなかった。
【０００５】
また、特許文献２は、レンズ交換式撮像装置への考慮はなされているが、レンズに設けられた不要光低減部の開口を制御する構成のため、撮像装置に取り付ける交換レンズ全てに不要光低減部を設ける必要がある。さらに、不要光低減部がレンズに設けられているため、光源の位置によっては撮像装置内に侵入してしまう光もある。撮像装置内部に侵入した光が、撮像装置の内壁などの端面に反射して撮像素子に到達するとフレアやゴーストの発生原因となってしまい、レンズに設けた不要光低減部だけではフレアやゴーストを防止しきれない。
【０００６】
これらの事象に対し、撮像装置内のフレアの原因となる不要光の反射面（例えば、本体内壁など）に、不要光が当たらないように、レンズマウントと上記反射面の間に、交換レンズに合わせて開口量可変の不要光低減部を設けることが考えられている。不要光低減部は、それ自身の開口端面が反射面として影響しにくくするように、薄板で構成されており、交換レンズのレンズ情報等を活用して電気的に開口量を可変するよう動作を制御されている。交換レンズを外したときに、不要光低減部が不要光を遮光する状態、すなわち突出した状態のままであると、例えば、使用者が光学部品前面を掃除しようとした場合に薄板で構成されている不要光低減部に不用意に触れて損傷・変形等させてしまう恐れがある。また、不要光低減部が遮光状態であると、清掃口となるレンズとの接続部であるマウントから見た場合、撮像素子側が部分的に遮光された状態となり掃除がしにくくなってしまう。
【０００７】
本発明は、撮像装置内部に設けられた光束通過範囲を可変する不要光低減部の破損を回避する撮像装置を提供することを目的とする。
【課題を解決するための手段】
【０００８】
上記課題を解決するために、本発明は、レンズ装置を着脱可能な撮像装置であって、前記レンズ装置からの光束の一部を覆う閉位置と、開く方向の移動可能端との間で移動可能な遮光部材と、前記遮光部材の駆動源と、前記駆動源の駆動力を伝達することにより、前記遮光部材を駆動する駆動部材と、を備え、前記レンズ装置の取り外しに連動して、前記遮光部材は前記移動可能端まで退避する。
【発明の効果】
【０００９】
本発明によれば、撮像装置内部に設けられた光束通過範囲を可変する不要光低減部の破損を回避する撮像装置を提供することができる。
【図面の簡単な説明】
【００１０】
【図１】撮像装置に交換レンズが取り付けられた状態における斜視図である。
【図２】撮像装置の要部垂直断面図である。
【図３】撮像装置の要部分解斜視図である。
【図４】不要光低減部の分解斜視図である。
【図５】不要光低減部の分解斜視図である。
【図６】不要光低減部の部分詳細図である。
【図７】不要光低減部の動作を説明する正面図である。
【図８】不要光低減部の動作を説明する正面図である。
【図９】交換レンズの光束と不要光低減部の関係を示す断面図である。
【図１０】撮像装置と交換レンズの制御方法を示すブロック図である。
【図１１】撮像装置に交換レンズが取り付けられた状態における斜視図である。
【図１２】撮像装置を要部分解斜視図である。
【図１３】撮像装置を要部分解斜視図である。
【図１４】不要光低減部の連動状態の部分詳細図である。
【図１５】不要光低減部の非連動状態の部分詳細図である。
【発明を実施するための形態】
【００１１】
（第１実施形態）
図１は、撮像装置を示す斜視図である。撮像装置１００は、カメラ本体１とレンズ装置２を備えており、図１は、カメラ本体１にレンズ装置２が取り付けられた状態を示している。カメラ本体１にレンズ装置２が通信可能に装着されている場合、これを撮像システムと呼ぶこともある。カメラ本体１は、レンズ交換式の撮像装置本体であり、交換レンズを着脱可能である。撮像装置は、カメラ本体１のことを指すこともある。レンズ装置２は、カメラ本体１に取り付け可能な変倍光学系を有する交換レンズである。レンズ装置２は、ズームリング２ａとフォーカスリング２ｂを備え、内部のレンズ群を駆動するための動力源と駆動制御を行う制御部とを備えている。なお、本実施形態においては、レンズ装置２をズーム可能な変倍光学系としたが、単焦点レンズであってもよい。
【００１２】
マウント３は、カメラ本体１に設けられたレンズ取り付けマウントである。マウント３は、ツマミ３ａ、ツマミ３ｂ、ツマミ３ｃ（ツマミ３ｃは図１においては不図示）を有する。マウント３の内部には、マウント３と一体で移動する突起部３ｄ（突起部３ｄは図１においては不図示）が設けられている。マウント３へのレンズ装置２の取り付け方法は、例えば、光軸を中心にねじ部を反時計方向に回動させて、レンズ装置２に設けられたバヨネット爪部を光軸方向の撮像素子側に向けて引き込む方式となっている。
【００１３】
図２は、交換レンズが取り付けられた状態の撮像装置の要部垂直断面図である。不要光低減部１０は、マウント３が取り付けられたフロントベース１１に駆動可能に取り付けられている、開口量可変の不要光遮光手段である。フロントベース１１は、不要光低減部１０およびマウント３を保持している保持部材であり、例えば四角の四隅が切り取られた形状の、固定の開口を有している。ローパスフィルタ１２、１４は、モアレや偽色を低減するための光学フィルタである。ＮＤ（減光）ユニット１３には、撮像素子１５への入射光量を調整するための光学フィルタや赤外吸収フィルタが複数備えられ、各フィルタは挿抜可能に配置されている。撮像素子１５は、被写体からの光を受光し被写体を撮像する。撮像素子１５は、複数の光電変換部を有しており、センサ基板１６に組み込まれている。メイン基板１７は、画像処理部や映像出力部、不要光低減部１０の制御部などを有する。
【００１４】
接点部１８は、カメラ本体１側にあるレンズ装置２との電気通信のための接点部であり、接点部２０は、接点部１８に接続される、レンズ装置２側にあるカメラ本体１との電気通信のための接点部である。接点部１８と接点部２０は、レンズ装置２の識別情報、焦点距離やズーム位置、絞り情報などのメタデータを信号として入出力する接点部と、レンズ装置２が駆動するための電源を送受信する電源部とを持つ。操作部１９は、撮影者からの電源ＯＮ／ＯＦＦ操作や各種操作を受け付ける各種スイッチ、ボタン、タッチパネル等の操作部材を備える。
カメラ本体１は撮影者によって操作部１９の電源がＯＮにされると、不図示の検出スイッチによりレンズ装置２がマウント３に取り付けられていることを認識する。そして、カメラ本体１側の接点部１８とレンズ装置２側の接点部２０を通じて、レンズ装置２と通信を開始する。
【００１５】
以下、図３〜図８を参照して、不要光低減部１０の詳細について説明する。
図３は、撮像装置の要部分解斜視図である。図４および図５は、不要光低減部１０の分解斜視図であり、図４と図５で異なる斜視方向からの斜視図である。図６は、不要光低減部１０の部分詳細と動作を説明する正面図である。図７は、不要光低減部１０の可変開口が小さくなった状態を示した正面図であり、図８は、不要光低減部１０が最大退避位置まで作動した状態を示した正面図である。
【００１６】
図３〜図６を参照して、不要光低減部１０が有する構成を説明する。不要光低減部１０は、遮光部材によって不要光を遮光する。遮光部材は、複数の羽根部材を有し、本実施形態では、前羽根１０１と後羽根１０２を有している。前羽根１０１と後羽根１０２は、図２に記載の光軸Ａに対して垂直な面内で移動可能な一対で構成される、それぞれ光束が入射する部分の開口の２辺となる略Ｌ字形状をしている。前羽根１０１と後羽根１０２は、光軸Ａに対して垂直な面内で、レンズ装置２からの光束の一部である不要光を遮光する閉位置に突出した遮光状態と、フロントベース１１の中で移動可能端まで退避した退避状態との間で移動可能である。なお、移動可能端はフロントベース１１の開口より外側に設けられている。前羽根１０１と後羽根１０２が組みつけられた状態では光軸Ａを中心とした４辺の開口が上下左右対称形状となっている。フロントベース１１に形成された支持軸１１ａに、前羽根１０１に形成された前羽根摺動穴１０１ａと後羽根１０２に形成された後羽根摺動穴１０２ａが挿通されている。また、フロントベース１１に形成された支持軸１１ｂに、前羽根１０１に形成された前羽根摺動穴１０１ｂと後羽根１０２に形成された後羽根摺動穴１０２ｂが挿通されている。前羽根１０１および後羽根１０２は、前羽根摺動穴１０１ａ、前羽根摺動穴１０１ｂ、後羽根摺動穴１０２ａ、後羽根摺動穴１０２ｂの長穴形状に沿って光軸Ａに近づく方向と離れる方向に平行移動する。
【００１７】
モータ１０３は、駆動アーム１０５の駆動源である。モータ１０３は、ピニオンギア１０４、連結ギア１０８、駆動アーム１０５を介して、前羽根１０１および後羽根１０２を駆動する。モータ１０３の回転軸に固定されたピニオンギア１０４の外周部のギア歯（不図示）と、フロントベース１１のフロントベースの回転軸１１ｃに回転可能に取り付けられている駆動アーム１０５の回転中心部と同軸な外形部には、ギア歯１０５ａ（詳細形状不図示）が設けられている。連結ギア１０８は、モータ１０３の駆動力を伝達するピニオンギア１０４と駆動アーム１０５を連結可能な連結部材である。連結ギア１０８によって、ピニオンギア１０４と駆動アーム１０５のギア歯１０５ａが連動し、モータ１０３の回転方向によって、駆動アーム１０５が時計方向と反時計方向に回転する。これにより、モータ１０３の駆動力は、駆動アーム１０５を介して前羽根１０１および後羽根１０２に伝達される。
【００１８】
モータ１０３は、不図示の接続手段によって、メイン基板１７と電気的に接続され、後述する不要光低減部１０の制御手段により所定の回転角度で回転制御される。駆動アーム１０５の両端には、前羽根駆動軸１０５ｂ、後羽根駆動軸１０５ｃが形成されている。前羽根駆動軸１０５ｂが前羽根１０１に形成された前羽根駆動穴１０１ｃに、後羽根駆動軸１０５ｃが後羽根１０２に形成された後羽根駆動穴１０２ｃに係合し、駆動アーム１０５の回転を前羽根１０１、後羽根１０２に伝える。したがって、駆動アーム１０５は、前羽根１０１および後羽根１０２を駆動する駆動部材である。駆動アーム１０５の一端には、第１の付勢部材である駆動アームばね１０７が取り付けられており、駆動アームばね１０７の他端はフロントベース１１の固定部１１ｄに取り付けられており駆動アーム１０５を反時計回転方向に付勢している。
【００１９】
連結ギア１０８は、連結レバー１０９に結合されており、連結レバー１０９の回転中心１０９ａがフロントベース１１の連結レバーの回転軸１１ｅに回転可能に軸支されている。連結レバー１０９には、第２の付勢部材である連結レバーばね１１０の一端が掛けられており、連結レバーばね１１０の他端は不図示の固定部に掛けられている。連結レバー１０９は、連結レバーばね１１０により、連結ギア１０８がピニオンギア１０４と駆動アーム１０５のギア歯１０５ａから離れる方向（反時計回転方向）に回転するよう付勢されている。連結レバー１０９には、腕部１０９ｂが設けられており、腕部１０９ｂ先端が、マウント３の内側の突起部３ｄ（突起部３ｄは一体形状だが、図３中では、説明のために分断して表記している）に突きあたるよう配置されている。マウント３の内側の突起部３ｄの移動位置により、連結レバー１０９は反時計回転方向の回転が規制される状態と非規制状態が可能となっている。ベース部材１０６は、不要光低減部１０をフロントベース１１との間に移動可能に挟み込んで、３か所のねじ１１１で固定されている。
【００２０】
図６〜図８を参照して、レンズ装置２が取り外されたときの不要光低減部１０の動作を説明する。図６（Ａ）は、ピニオンギア１０４と連結ギア１０８と駆動アーム１０５が連結した状態を、図６（Ｂ）は、連結ギア１０８が外れ、ピニオンギア１０４と駆動アーム１０５が分離した状態を示している。図７は、有効光束が小さいレンズ装置２が装着され、不要光低減部１０により、前羽根１０１と後羽根１０２が開口を小さくする側に作動した状態を示している。図８は、レンズ装置２が取り外され、不要光低減部１０により、前羽根１０１と後羽根１０２が退避した状態を示している。図６（Ａ）は図７の状態に、図６（Ｂ）は図８の状態に対応している。
【００２１】
図７の状態から、レンズ装置２を外すために、マウント３のツマミ３ａ、３ｂ、３ｃを矢印Ｅ方向に動かすと、マウント３と一体で移動する突起部３ｄも移動し、連結レバー１０９の腕部１０９ｂから離れる。連結レバー１０９は連結レバーばね１１０の付勢力により回転中心１０９ａを中心に反時計回転方向に回転し、連結ギア１０８がピニオンギア１０４と駆動アーム１０５のギア歯１０５ａとの噛みあいから離れ、連結が外れる。連結が外れた駆動アーム１０５は、駆動アームばね１０７の付勢力によって、反時計回転方向に回転する。駆動アーム１０５と係合した前羽根１０１と後羽根１０２はそれぞれ、光軸Ａから離れる方向の移動可能端まで移動して、図８の状態となる。具体的には、前羽根１０１は矢印Ｃの方向に、後羽根１０２は矢印Ｄの方向に、移動可能端まで移動する。なお、移動可能端は、フロントベース１１の開口の外側になるよう設定されている。
以上の動きにより、レンズ装置２が外されてカメラ本体１内部が露出しても、前羽根１０１と後羽根１０２はフロントベース１１の開口の外側に移動している。そのため、例えば、使用者がカメラ本体１の内部を清掃する場合でも、前羽根１０１と後羽根１０２に触れることはできない。
【００２２】
次に、レンズ装置２を装着するときの不要光低減部１０の動作を説明する。図８の状態から、レンズ装置２を装着すると、マウント３をレンズ装置２の装着方向である方向Ｆに回転させるため、マウント３と一体で移動する突起部３ｄも移動し、連結レバー１０９の腕部１０９ｂ先端を押しこむ。連結ギア１０８が再び、ピニオンギア１０４と駆動アーム１０５のギア歯１０５ａと噛みあい、モータ１０３と駆動アーム１０５の連動が可能となる。カメラ本体１とレンズ装置２の接続および通信により、装着されたレンズ装置２自体の識別情報、焦点距離やズーム位置、絞り情報がメイン基板１７の不要光低減部１０の制御部に送られる。制御部は、レンズ装置２からの識別情報、焦点距離やズーム位置、絞り情報などのレンズ情報に基づいて、不要光低減部１０を、有効光束を遮光しない範囲で光束を最小にするよう、すなわち、不要光を、有効光束を遮光しない範囲で最大限遮光するよう制御する。制御部は、モータ１０３に回転方向と回転量の制御信号を送る。制御部から送られた制御信号に応じて、モータ１０３は時計回転方向に回転する。モータ１０３に固定されているピニオンギア１０４が時計回転方向に回転し、連結している連結ギア１０８を反時計回転方向、駆動アーム１０５を時計回転方向に回転させる。駆動アーム１０５の両端の前羽根駆動軸１０５ｂと後羽根駆動軸１０５ｃがそれぞれ前羽根１０１の前羽根駆動穴１０１ｃ、後羽根１０２の後羽根駆動穴１０２ｃに作用する。そのため、前羽根１０１は、前羽根摺動穴１０１ａ、１０１ｂと支持軸１１ａ、１１ｂのガイドにより、略Ｌ字形状が光軸Ａに近づく、矢印Ｄ方向に移動する。後羽根１０２は、後羽根摺動穴１０２ａ、１０２ｂと支持軸１１ａ、１１ｂのガイドにより、矢印Ｃ方向に移動し、略Ｌ字形状が光軸Ａに近づく、閉位置まで移動する。これにより、装着されたレンズ装置２の不要光を遮光し、有効光束の範囲のみ開口した状態にすることができる。
【００２３】
次に、ズーム可能な変倍光学系であるレンズ装置２のズーム位置、絞り情報が切換えられ、レンズ装置２の有効光束が大きくなるような場合について説明する。メイン基板１７にある不要光低減部１０の制御部からモータ１０３に、モータ１０３が反時計回転方向に回転するよう制御信号が送られる。そしてモータ１０３に固定されているピニオンギア１０４が反時計回転方向に回転し、連結している連結ギア１０８を時計回転方向、駆動アーム１０５を反時計回転方向に回転させる。駆動アーム１０５の両端の前羽根駆動軸１０５ｂと後羽根駆動軸１０５ｃがそれぞれ前羽根１０１の前羽根駆動穴１０１ｃ、後羽根１０２の後羽根駆動穴１０２ｃに作用する。前羽根１０１は、前羽根摺動穴１０１ａ、１０１ｂと支持軸１１ａ、１１ｂのガイドにより、略Ｌ字形状が光軸Ａから離れていく矢印Ｃ方向に移動する。後羽根１０２は、後羽根摺動穴１０２ａ、１０２ｂと支持軸１１ａ、１１ｂのガイドにより、略Ｌ字形状が光軸Ａから離れていく図中、矢印Ｄ方向に移動する。これにより、不要光低減部１０の開口を通過できる光束の大きさが広がる。
【００２４】
なお、ズーム可能な変倍光学系であるレンズ装置２のズーム位置、絞り情報が切換えられ、レンズ装置２の有効光束が小さくなるような場合は、制御部からモータ１０３に、モータ１０３が回転方向に回転するよう制御信号が送られる。以降の動作は、レンズ装置２を装着した場合と同様である。
【００２５】
図９は、交換レンズの光束と低減部の関係を示す断面図である。図９（Ａ）は、有効光束の小さい交換レンズを付けた状態断面図、図９（Ｂ）は、有効光束の大きい交換レンズを付けた状態断面図、図９（Ｃ）は、交換レンズを外した状態断面図である。図９において、Ａは光軸を示し、Ｂは撮像素子１５の有効画素領域を示す。
【００２６】
図９（Ａ）に示すように、有効光束の小さい交換レンズを付けた場合、不要光低減部１０の前羽根１０１と後羽根１０２を、光束Ｆ１を遮らない開口量まで、光軸Ａに近づく方向に駆動される。一方、図９（Ｂ）の光束の広い交換レンズが取り付けられた場合には、不要光低減部１０の前羽根１０１と後羽根１０２を、光束Ｆ２を遮らない開口量まで、光軸Ａから遠ざかる方向に駆動される。そして、交換レンズを外した場合、不要光低減部１０の前羽根１０１と後羽根１０２を、フロントベース１１の開口より退避した位置まで、駆動アームばね１０７によって移動させられる。このように、各交換レンズの有効光束に合った開口量に応じて、前羽根１０１と後羽根１０２を駆動し、不要光を遮光することができるため、効果的に不要光を低減することができる。交換レンズを外した場合は、前羽根１０１と後羽根１０２が使用者に直接触れられない位置まで退避するため、使用者が誤って触れて不具合を発生させることを回避できる。
【００２７】
また、不要光低減部１０の前羽根１０１と後羽根１０２は、ローパスフィルタ１２、１４やＮＤユニット１３などの不要光の反射面となりうる構成要素よりもレンズ側に配置されている。そのため、レンズ交換式のカメラ本体１内部に侵入した不要光が光学部品の端面や、その他の撮像装置の内壁に当たって反射し、不要光として、撮像素子に入射するのを防ぐことができる。また、不要光低減部１０はマウント３よりも撮像素子側に配置され、カメラ本体１に取り付け可能な全てのレンズ装置２の後端に当接することのない位置に配置されている。
【００２８】
図１０は、撮像装置と交換レンズの構成を示すブロック図である。レンズ装置２の内部には、焦点距離調節用のズームレンズ２００および焦点調節用のフォーカスレンズ２０１、開口量を調節するための絞り２０２を含む複数のレンズ群が配置されている。ズームレンズ２００は、ズームアクチュエータ２０５により光軸方向に駆動され、位置検出部２０３によって焦点距離が検出される。フォーカスレンズ２０１は、フォーカスアクチュエータ２０６により光軸方向に駆動され、位置検出部２０４によって焦点位置が検出される。位置検出部２０３および位置検出部２０４によって検出された焦点位置や焦点距離は、レンズＣＰＵ（Ｃｅｎｔｒａｌ  Ｐｒｏｃｅｓｓｉｎｇ  Ｕｎｉｔ）２０９に送られる。絞り２０２は、絞りアクチュエータ２０７により開閉される。
【００２９】
レンズ装置２は、レンズＣＰＵ２０９と電源部２１０と通信手段２１１を有する。レンズＣＰＵ２０９は、カメラ本体１から通信手段２１１を介して制御信号を受信し、その制御信号に応じて、絞り２０２を開閉させるための絞りアクチュエータ２０７やズームアクチュエータ２０５やフォーカスアクチュエータ２０６を制御する。また、レンズＣＰＵ２０９はレンズ装置２に設けられたズームリング２ａやフォーカスリング２ｂの操作に応じてズームアクチュエータ２０５とフォーカスアクチュエータ２０６を制御し、ズームレンズ２００とフォーカスレンズ２０１を移動させる。レンズＣＰＵは、各レンズの機種情報（レンズＩＤ）などのレンズ機種情報２０９ａ、ズーム位置情報２０９ｂ、フォーカス位置情報２０９ｃ、絞りの位置情報２０９ｄを取得可能である。
【００３０】
カメラ本体１は、不要光低減部１０、光学フィルタ１２０、撮像素子１５、Ａ／Ｄ変換回路１２１、カメラ信号処理回路１２２を有する。さらに、カメラ本体１は、操作部１９、カメラ制御部であるカメラＣＰＵ１２５、電源部１２６、通信部１２７、レンズ情報保持部１２８、不要光低減部１０を駆動する不要光低減駆動部１２９を有する。撮像素子１５は、ＣＣＤセンサやＣＭＯＳセンサ等により構成され、レンズ装置２から入射して、ローパスフィルタ１２、１４、ＮＤユニット１３を含む光学部材である光学フィルタ１２０を透過した光学像を光電変換する。不要光低減部１０は、光学部材よりもレンズ装置２側に設置される。撮像素子１５から出力されたアナログ信号は、Ａ／Ｄ変換回路１２１によりデジタル信号に変換され、カメラ信号処理回路１２２に入力される。カメラ信号処理回路１２２は、入力されたデジタル信号に対して各種画像処理を行って画像信号を生成する。カメラ信号処理回路１２２にて生成された画像信号は、表示部（不図示）に表示されたり、映像出力端子（不図示）から外部電子機器に映像出力されたり、半導体メモリや光ディスク等の記録媒体（不図示）に記録されたりする。またカメラ信号処理回路１２２にて生成された画像信号は、カメラＣＰＵ１２５にも入力される。
【００３１】
カメラＣＰＵ１２５は、操作部１９からの信号に応じてカメラ本体１全体の制御を行う。また、カメラＣＰＵ１２５は輝度情報に応じた絞り２０２の制御信号、フォーカス情報に応じたフォーカスレンズ２０１の制御信号、レンズ装置２の動作要求等を、通信手段１２７を介してレンズＣＰＵ２０９に送信する。さらにカメラＣＰＵ１２５は、レンズＣＰＵ２０９からレンズ装置２が有する固有の光学特性に基づく画像補正処理を行うために必要な画像補正情報のデータを、通信手段１２７を介して受信する。電源部１２６はカメラＣＰＵ１２５や通信手段１２７のほか、カメラ本体１内の各部に電源を供給する。また、電源部１２６は撮像装置側の接点部１８の電源端子を介してレンズ装置２の電源部２１０に電源を供給する。レンズＣＰＵ２０９や通信手段２１１およびズームアクチュエータ２０５〜フォーカスアクチュエータ２０７は、電源部２１０から電源供給を受ける。
【００３２】
レンズ情報保持部１２８は、レンズ装置２の各機種のズーム、フォーカス、絞り駆動時の光束の短辺長辺対角領域の情報を備える。カメラＣＰＵ１２５は、通信手段１２７を介してカメラ本体１に取り付けられたレンズ装置２のレンズ機種情報、ズーム位置情報、フォーカス位置情報、絞り情報を受信する。受信した情報とレンズ情報保持部１２８に備える光束情報とを照らし合わせ、該当する光束領域を算出して、不要光低減部１０の開口量を制御する不要光低減駆動部１２９を駆動させる。
【００３３】
以上のように、本実施形態によれば、レンズを外した際に不要光低減部１０の前羽根１０１と後羽根１０２が使用者に直接触れられない位置まで退避するため、使用者が誤って触れて不具合を発生させることを回避できる。また、レンズ装着時には、レンズ情報に基づいて、レンズの光束に応じて不要光低減部１０の開口領域を制御することができるため、有効光線の範囲の異なる交換レンズにも対応することが可能となる。
【００３４】
（第２実施形態）
本実施形態を説明する図１１〜図１５において、第１実施形態と同一部には、同一符号を付与し、その詳細な説明を省略する。
図１１は、第２実施形態における撮像装置の斜視図である。レンズ装置２は、カメラ本体１のバヨネット構造によりマウントに片寄せされた状態で、カメラ本体１側から回転規制ピンが挿入されることで回転規制され、ガタつき無く、かつ、取り外しできないように固定される。解除ボタン３０は、レンズ装置２をカメラ本体１から取り外す為のロック解除ボタンである。解除ボタン３０をカメラ本体１に対して光軸方向に押し込むことにより、レンズ装置２から回転規制ピンが抜けて、カメラ本体１に対してレンズ装置２が回転可能となり、取り外すことができる。
【００３５】
図１２〜図１５を参照して、不要光低減部１０と解除ボタンの連動について説明する。図１２および図１３は、第２実施形態における撮像装置の一部の要部分解斜視図である。図１２と図１３で、斜視方向が異なる。図１４は不要光低減部１０の連動状態の詳細図である、図１５は、不要光低減部１０の非連動状態の詳細図である。
【００３６】
解除ボタン３０には、駆動板１３１が一体に固定され、ボタン付勢ばね１３２によって光軸方向のレンズ装置２側に付勢されている。レンズ装置２を取り外すために解除ボタン３０を押しこむと、駆動板１３１はボタン付勢ばね１３２を圧縮するとともに駆動板１３１の第１の曲げ先端部１３１ａが回転規制ピン１３３をカメラ本体１内へ引き込む。このとき回転規制ピン１３３にも、カメラ本体１のレンズ装置２側に突出するように回転規制ピン１３３に付勢された付勢ばね１３４が作用している。また、駆動板１３１には、第２の曲げ端部１３１ｂが設けられており、不要光低減部１０との連動を行う連動ピン１３１ｃが設けられている。マウント１３５は、マウント板ばね１３６を挟みこんで、マウント地板１３７と固定されることでレンズ装置２を光軸方向にガタ取りして、マウント１３５に片寄せしている。また、マウント１３５とマウント地板１３７の間には、回転規制ピン１３３と回転規制ピン付勢ばね１３４をマウント１３５側に付勢した状態で挟み込んでいる。フロントカバー１３８は、マウント地板１３７に固定されたボタン地板１３９との間に、解除ボタン３０とボタン付勢ばね１３２をフロントカバー１３８側に付勢した状態で挟み込んでいる。前羽根１０１と後羽根１０２、モータ１０３、ピニオンギア１０４、駆動アーム１０５は、第１実施形態と同様の状態で、フロントベース１１とベース部材１０６に挟まれねじ１１１で固定されている。駆動アーム１０５には駆動アームばね１０７が反時計回転方向に付勢されている。連結レバー１４０は、連結ギア１０８が回転可能に固定され、ピニオンギア１０４と駆動アーム１０５のギア歯１０５ａと連結状態と非連結状態の間で回転変位する。連動レバー１４０には連結レバーばね１１０が、反時計回転方向に付勢されている。また、連動レバー１４０の曲げ部１４０ｂの先端には、前記駆動板１３１の連動ピン１３１ｃと係合する斜面部１４０ｃが設けられている。
【００３７】
次に、図１４および図１５を参照して、連結ギア１０８によるピニオンギア１０４と駆動アーム１０５の連動と分離の切換えを示している。図１４（Ａ）は、ピニオンギア１０４と連結ギア１０８と駆動アーム１０５が連結状態の正面図を、図１４（Ｂ）は、その側面図を示す。図１５（Ａ）は、ピニオンギア１０４と連結ギア１０８と駆動アーム１０５の連結が分離した状態の正面図を、図１５（Ｂ）は、その側面図を示す。
【００３８】
第１実施形態との差異である解除ボタン３０から連動レバー１４０への連動について説明する。カメラ本体１にレンズ装置２を装着した状態で解除ボタン３０を矢印Ｇで示すカメラ本体１内に押し込む。解除ボタン３０が押されると、駆動板１３１も一体で移動するため、第１の曲げ先端部１３１ａが回転規制ピン１３３を、マウント１３５から突出した状態からマウント３内に引き込み、レンズ装置２がカメラ本体１に対して回転可能となり取り外しできる。同時に、第２の曲げ端部１３１ｂの連動ピン１３１ｃが連動レバー１４０の斜面部１４０ｃとの当接状態から離れるため、連動レバー１４０は連結レバーばね１１０の付勢により回転中心１４０ａを中心に反時計回転方向に回転する。これにより、連結ギア１０８は、ピニオンギア１０４、及び、駆動アーム１０５のギア歯１０５ａとの噛みあいから離れ、ピニオンギア１０４と駆動アーム１０５の連動が外れる。連動が外れた駆動アーム１０５は、駆動アームばね１０７の付勢により反時計回転方向に回転し、第１実施形態と同様に、駆動アーム１０５と係合した前羽根１０１と後羽根１０２はそれぞれ、光軸から離れる方向の移動可能端まで移動し、開口の外側に退避する。使用者がレンズ装置２を取り外し、例えば、カメラ本体１の内部を清掃する場合でも、前羽根１０１と後羽根１０２はフロントベース１１の開口の外側に移動しているため、前羽根１０１と後羽根１０２に触れることはない。
【００３９】
次に、使用者がレンズ装置２を外した状態で、解除ボタン３０の押しこみから手を離すと、解除ボタン３０はボタン付勢ばね１３２によって元の状態に復帰する。解除ボタン３０に結合された駆動板１３１も元の状態に復帰するので、第１の曲げ先端部１３１ａの引き込みから解放されて回転規制ピン１３３は回転規制ピン付勢ばね１３４によってマウント１３５から突出した状態に復帰する。同じく、連動ピン１３１ｃは連動レバー１４０の斜面部１４０ｃを押す方向に移動するため、連動レバー１４０は時計回転方向に回転して、連結ギア１０８とピニオンギア１０４、及び、駆動アーム１０５のギア歯１０５ａが再び噛みあう。このとき前羽根１０１と後羽根１０２は光軸から離れる方向の移動可能端まで移動した状態で維持されている。
【００４０】
使用者がレンズ装置２を再び装着するとき、解除ボタン３０を押さないで装着した場合、駆動板１３１の第１の曲げ先端部１３１ａを残して、回転規制ピン１３３のみが光軸方向へ移動するので、他に連動しない。また、解除ボタン３０を押して装着するような操作を行った場合、連結ギア１０８とピニオンギア１０４、及び、駆動アーム１０５のギア歯１０５ａとの噛みあいが再び外れる。しかし、前羽根１０１と後羽根１０２は光軸から離れる方向の移動可能端まで移動した状態で維持されているため影響はない。そして不要光低減部１０は、新しく装着されたレンズ装置２自体の識別情報、焦点距離やズーム位置、絞り情報を基に、第１実施形態で説明したと同様に制御される。
【００４１】
以上のように、本実施形態によれば、ロック解除ボタンによりレンズを外すタイプの撮像装置であっても、レンズを外した際に不要光低減部１０が使用者に直接触れられない位置まで退避するため、使用者が誤って触れて不具合を発生させることを回避できる。
【００４２】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００４３】
以上、本発明の好ましい実施形態について説明したが、本発明は、これらの実施形態に限定されず、その要旨の範囲内で種々の変形および変更が可能である。
【符号の説明】
【００４４】
１    カメラ本体
２    レンズ装置
１０  不要光低減部
１０１  前羽根
１０２  後羽根
１０３  モータ
１０５  駆動アーム
【図１】
2018106024.tif 000003
【図２】
2018106024.tif 000004
【図３】
2018106024.tif 000005
【図４】
2018106024.tif 000006
【図５】
2018106024.tif 000007
【図６】
2018106024.tif 000008
【図７】
2018106024.tif 000009
【図８】
2018106024.tif 000010
【図９】
2018106024.tif 000011
【図１０】
2018106024.tif 000012
【図１１】
2018106024.tif 000013
【図１２】
2018106024.tif 000014
【図１３】
2018106024.tif 000015
【図１４】
2018106024.tif 000016
【図１５】
2018106024.tif 000017